(57)【要約】【課題】  場所をとることなく建屋の入口に設置し、身障者が車椅子に乗ったまま介添え者を要せずに台盤に乗って使用可能なコストの安い車椅子の泥や塵埃の除去装置を提供する。【解決手段】  中央部に設けた開口部１２に車椅子１を載せて回転支持するモーター駆動の駆動ロール８及び従動ロール９とこれらの間に設けたブラシ７とを配設した台盤４からなり、駆動ロール８の回転により車椅子１の車輪２を回転してブラシ７に擦ることにより車輪２に付着した泥や塵埃を除去する乾式の除去装置である。【選択図】      図１
2005218711.tif 000002
【特許請求の範囲】
【請求項１】
中央部に設けた開口部に車椅子を載せて回転支持するモーター駆動の駆動ロール及び従動ロールとこれら駆動ロール及び従動ロール間に設けたブラシとを配設した台盤からなり、駆動ロールにより車椅子の車輪を回転してブラシにより車輪に付着の泥及び塵埃を除去することを特徴とする車椅子の車輪に付着した泥及び塵埃の乾式除去装置。
【請求項２】
駆動ロール及び従動ロールは、それらのロール面の高さを台盤面の高さと同一高さとし、台盤上で車輪を駆動ロール及び従動ロールへ導入する導入路並びに駆動ロール及び従動ロールから車輪を退出する退出路を台盤面から傾斜して台盤面に連設し、これらの導入路並びに退出路の駆動ロール際及び従動ロール際の路面高さを駆動ロール及び従動ロールのロール面の高さよりタイヤ厚さの半分程度だけ低くしていることを特徴とする請求項１に記載の車椅子の車輪に付着した泥及び塵埃の乾式除去装置。
【請求項３】
ブラシは毛先面を上にし、下方に設けた弾発コイルバネにより常時上方に付勢されていることを特徴とする請求項１又は２に記載の車椅子の車輪に付着した泥及び塵埃の乾式除去装置。
【請求項４】
台盤は前部に乗り入れ用のスロープ台と後部に退出用のスロープ台を有することを特徴とする請求項１〜３のいずれか１項に記載の車椅子の車輪に付着した泥及び塵埃の乾式除去装置。
【発明の詳細な説明】
【技術分野】
【０００１】
本発明は、外出した車椅子の車輪に付着した泥あるいは塵埃を施設や病院や一般の家屋の入口で除去して施設や病院や一般の家屋内に泥あるいは塵埃を持ち込まなくするための装置に関する。
【背景技術】
【０００２】
車椅子は、身障者にとっては外出に乗るだけでなく、室内でも移動のために乗るものであり、室内の生活に密着している。そこで、たとえ晴天の日に外出した場合であっても、そのまま室内に乗り入れることとなる。このような場合、室内にそのまま乗り入れると、廊下に車輪の跡がつき、また、室内が砂塵で埃っぽくなる。さらにタイヤの溝に嵌まった細かな石つぶなどが室内に落下する。一方、雨の降っているときに車椅子で外出して泥が車輪に付着した場合、室内に入る前に水洗いなどをする必要がある。ところで晴天の日に車椅子に乗って外出して単に塵埃が車輪に付着している場合でも、室内に入る前に車輪を洗浄して乾燥しないうちに、室内を車椅子で動き回ると床面に車輪の跡形が残ることとなり見苦しくなる。このために、たとい洗浄するときでも、結局、乾燥するまで車椅子に乗ることはできないこととなる。
【０００３】
そこで、車椅子で外出した身障者が戻ってきて室内に入るとき、多くの場合に介添え者が車椅子を拭う必要があり、この負担が大きい問題がある。このため身障者が乗ったまま自動で車椅子から泥や塵埃を落とす装置が種々開発されている。これらの車椅子の車輪に付着した泥や塵埃の除去装置は、洗浄装置が一般的で、種々の洗浄機構を有する（例えば、特許文献１、特許文献２、特許文献３、特許文献４、特許文献５参照。）。しかし、これらの装置は洗浄装置を有するので、構造が大きく、あるいは複雑な機構であり、また、身障者のみで洗浄装置を使用することが困難であった。
【０００４】
一方、洗浄装置を用いない車椅子の除去装置が開発されている。これは、右側板と左側板との間に、左右１対の駆動ローラを配置し、駆動ローラに平行に回転ブラシを配置するものである（例えば、特許文献６参照。）。しかし、この装置はなお機構の点で複雑であり、その分コストが高いものであった。
【０００５】
【特許文献１】特開平９−１０８２６６号公報
【特許文献２】特開平１０−３３７５４２号公報
【特許文献３】特開２００１−５５１２０号公報
【特許文献４】特開２００１−９６２３９号公報
【特許文献５】特開２００３−８８８１８号公報
【特許文献６】特開２００１−１２２０８６号公報
【発明の開示】
【発明が解決しようとする課題】
【０００６】
本発明が解決しようとする課題は、できるだけ場所をとることなく建屋の入口や玄関に設置でき、車椅子に身障者が乗ったまま介添え者の助けを要せずに台盤上で使用でき、コストの安い機構からなる泥や塵埃を除去する乾式の除去装置を提供することである。
【課題を解決するための手段】
【０００７】
課題を解決するための本発明の手段は、請求項１の発明では、中央部に設けた開口部に車椅子を載せて回転支持するモーター駆動の駆動ロール及び従動ロールとこれら駆動ロール及び従動ロール間に設けたブラシとを配設した台盤からなり、駆動ロールにより車椅子の車輪を回転してブラシにより車輪に付着の泥及び塵埃を除去することを特徴とする車椅子の車輪に付着した泥及び塵埃の乾式除去装置である。
【０００８】
請求項２の発明では、駆動ロール及び従動ロールは、それらのロール面の高さを台盤面の高さと同一高さとし、台盤上で車輪を駆動ロール及び従動ロールへ導入する導入路並びに駆動ロール及び従動ロールから車輪を退出する退出路を台盤面から傾斜して台盤面に連設し、これらの導入路並びに退出路の駆動ロール際及び従動ロール際の路面高さを駆動ロール及び従動ロールのロール面の高さよりタイヤ厚さの半分程度だけ低くしていることを特徴とする請求項１の手段の車椅子の車輪に付着した泥及び塵埃の乾式除去装置である。
【０００９】
請求項３の発明では、ブラシは毛先面を上にし、下方に設けた弾発コイルバネにより常時上方に付勢されていることを特徴とする請求項１又は２の手段の車椅子の車輪に付着した泥及び塵埃の乾式除去装置である。
【００１０】
請求項４の発明では、台盤は前部に乗り入れ用のスロープ台と後部に退出用のスロープ台を有することを特徴とする請求項１〜３のいずれか１項の手段の車椅子の車輪に付着した泥及び塵埃の乾式除去装置である。
【００１１】
すなわち、本発明は、車椅子を載せて支持する駆動ロール及び従動ロールと、駆動ロール及び従動ロール間に設けたブラシとからなり、駆動ロールにより車椅子の車輪を回転してブラシにより車輪に付着した泥及び塵埃を除去する車椅子を載せて支持する駆動ロールと従動ロールとこれらの間に設けたブラシとからなる乾式の除去装置で建屋の入口や玄関先などに設置される。この設置において設置場所の床面が台盤の高さ分の掘り下げができない場合には、車椅子が乗り入れ可能な前部のスロープ台と台盤から退出可能な後部のスロープ台を台盤の前後に配設して台盤に容易に車椅子で乗り上げ、退出し得るものとしている。さらに駆動ロール及び従動ロールの間に配設のブラシは耐久性と柔軟性に優れたナイロンなどの繊維からなるものとすることができる。さらに駆動ロールは台盤内に設けたモーターにより駆動して駆動ロールに載せた車椅子の車輪を摩擦により回動し、回動することのないないブラシと擦らせている。
【００１２】
なお、これらの駆動ロール及び従動ロールのロール長さは車椅子の左右の車輪間の間隔よりも長く形成する。さらに、駆動ロール及び従動ロールは、それらのロール面の高さを台盤面の高さと同一高さとしているが、台盤から駆動ロール及び従動ロールへ車輪を導入する導入路と駆動ロール及び従動ロールから台盤へ車輪を導出する退出路を設け、これらの導入路の路面高さ及び退出路の路面高さを駆動ロール及び従動ロールのロール面の高さよりタイヤ厚さの半分程度だけ低くし、駆動ロール及び従動ロールに載った車椅子の車輪のタイヤが使用者の重みで凹んでも、タイヤが台盤の開口部端の板面に触れて回動できなくなることが防止している。さらにブラシは毛先面を上にし、下方に設けた弾発コイルバネにより常時上方に付勢することで的確に車椅子の車輪に付着した泥及び塵埃を落とし得るものとし、泥や塵埃が払い落とした車椅子は台盤から出てそのまま屋内に入ることができるものとしている。
【発明の効果】
【００１３】
本発明の装置は、乾式で実施する装置であり、水洗を必要としないので洗浄設備を有せず、装置の可動部分がモーターで駆動される駆動ロール及び従動ロールのみであるので、機構が簡単で保守も容易であり、設備コストがかからず、しかも、乾式でありながら紫外線ランプなどによる消毒機構を使用しないので使用者の目に優しく、さらに使用者が車椅子に乗ったままで操作して車輪に付着した泥や塵埃を安全に操作して除去することができ、かつ、乾式であるので、従来の湿式の様に乾くまで待つ必要がなく、除去後にそのまま直ちに室内に乗り入れることができ、さらに車椅子に乗った人の重さでタイヤが駆動ロールや従動ロール上で凹んでも回転が阻害されることなく除去が行われるなど、従来にない優れた効果を奏するものである。
【発明を実施するための最良の形態】
【００１４】
本発明を実施する最良の形態を図面を参照して説明する。中央部の車椅子１を載せる台盤４は大きさが横幅９００ｍｍ、縦幅１０００ｍｍ、高さ１０５ｍｍからなり、台盤４の中央部には、台盤４の後端５から台盤４の前端６側へ４２０ｍｍの位置すなわち台盤４の前端６から後端５側へ５８０ｍｍの位置に、車椅子１の車輪２の進行方向に対して直角方向に長さ７１０ｍｍの保持体７ｂを設け、この保持体７ｂに幅３３ｍｍで長さ１９５ｍｍのナイロン製のブラシ７を配置する。ブラシ７は保持体７ｂの左右サイドの２個のブラシ部７ａ、７ａからなるものである。すなわち、ブラシ７は台盤４の左右の両サイドからそれぞれ内側に１９５ｍｍの長さのブラシ部７ａ、７ａをそれぞれ有して１本の保持体７ｂに支持されている。これらの保持体７ｂの各ブラシ部７ａ、７ａの下には、ブラシ７を上方に押し上げるための押圧コイルばね１３を有するＴバー受け１５があり、ブラシ７を下で受けているブラシ受けのＴバー１４をＴバー受け１５で常時ブラシ７を上方に付勢している。これらのＴバー１４やＴバー受け１５の長さは７３０ｍｍであり、これらの下には泥受け皿１６が敷かれている。
【００１５】
ブラシ７の前後には径７９ｍｍのロールがブラシ７と平行にそれぞれ１本ずつがあり、その１本はモーターで駆動される駆動ロール８であり、他の１本は従動ロール９である。これらの駆動ロール８と従動ロール９は中間に幅３３ｍｍのブラシ７を介在させてそれら軸間が１１２ｍｍ離間している。この駆動ロール８と従動ロール９の１１２ｍｍの間隔は車椅子１の前輪３が十分に載ることのできる間隔である。駆動ロール８とブラシ７と従動ロール９が存在する部分の台盤４の上面を構成する台盤面１１には、それぞれ開口部１２、１２が台盤面１１の左右に設けられ、上面が開放されている。この開口部１２の大きさは横幅１９５ｍｍ、縦幅１７０ｍｍであり、開口部１２内に駆動ロール８と従動ロール９の上側のロール面１０が台盤面１１とほぼ面一の高さで配設されている。これら駆動ロール８と従動ロール９の二つのロール面１０の間にはブラシ７の毛先７ｃがロール面１０よりやや上方に突出して配設され、タイヤが上に載るとタイヤの重みで弾発コイルバネ１３に抗して下がるが、常にタイヤを下から弾発的に押し上げているので、除去処理する車輪２のタイヤ面２ａや前輪３を的確に擦って汚れを落とすことができる。左右の開口部１２、１２の間には台盤面１１がそのままの高さで延在し前後の台盤面１１と一体になっている。
【００１６】
一方、駆動ロール８及び従動ロール９のロール面１０の高さは、台盤面１１の高さと同一の高さにあり、台盤面１１から駆動ロール８及び従動ロール９へ車輪２を導入する導入路１７並びに駆動ロール８及び従動ロール９から台盤面１１へ退出する退出路１８は、台盤面１１から開口部１２の側に３０ｍｍの長さの部分が下方に傾斜部１９で傾斜して１０ｍｍ低下した後、水平部２０で水平に４０ｍｍ延びて駆動ロール８及び従動ロール９のロール面の近くに達している。すなわち、これらの導入路１７並びに退出路１８の駆動ロール８の際及び従動ロール９の際の水平部２０の路面高さは駆動ロール８及び従動ロール９のロール面１０の上面の高さよりおよそ１０ｍｍ低くなっている。従って、車輪２のタイヤが車椅子１に乗った人の重さでタイヤ厚さ２ｂが凹んで半分近くの厚みに凹んで薄くなっても、導入路１７並びに退出路１８の端部とタイヤ面２ａが接触して車輪の回転を阻止し、その結果、駆動ロール８の回転を阻害する事態は発生することがない。
【００１７】
台盤４の左右サイドに、安全のために台盤面１１から高さ６５０ｍｍ、前後方向の長さ７３４ｍｍの上部の角を丸めた径３４ｍｍのパイプからなる手すり２４を立設している。さらに台盤４の左右のいずれかの手すり２４の外側に駆動ロール８を操作するスイッチボックス２６の取付け用支柱２５を立設している。スイッチボックス２６は側面に操作ボタン２７を有し、上面に非常用押しボタン２８を有し、これらは車椅子１に乗った人が手で操作可能な位置に配置されている。取付け用支柱２５の基部には制御ボックス２９があり、スイッチボックス２６の操作ボタン２７や非常用押しボタン２８の作動により駆動ロール８の駆動を制御している。
【００１８】
以上の構造となっているので、車椅子１で外出から戻ってきたとき、台盤４の台盤面１１に矢印３０方向に乗り上げ、先ず、車椅子１の前輪３を駆動ロール８及び従動ロール９のロール面１０の上面に載置すると、スイッチボックス２６の側面の操作ボタン２７を押して駆動ロール８を回転させ、泥や塵埃をブラシ７で擦って落とす。この場合、操作ボタン２７を押してから除去に必要な時間が経過すると自動的にモーターが停止し、駆動ロール８の回転が停止するように設計されている。この後、車椅子１を前進させて再び車輪３を駆動ロール８及び従動ロール９のロール面１０の上面に載せて、スイッチボックス２６の操作ボタン２７を押して駆動ロール８を回転させて泥や塵埃をブラシ７で擦って落とし、予め設定した除去が終了する時間が来るとと自動的にモーターは停止し、駆動ロール８の回転が停止される。この後は手動で車椅子１を回して台盤４から降りる。ところでスイッチボックス２６には、非常用押しボタン２８が設けてあり、非常用押しボタン２８を押すことで直ちに駆動ロール８の回転を停止するものとしている。
【００１９】
この台盤４を設置する玄関あるいは入口などの土間の床面２２に台盤４の高さの１０５ｍｍの深さ分を掘り下げることができる場合には、上記の構成の状態で床面２２と台盤面１１が面一になるように掘り下げて設置する。しかし設置される床面２２が掘り下げることができない場合には、台盤４の前後にスロープ台２１、２１を設置する。このスロープ台２１は台盤４と同じ横幅を有し、台盤４の前部の乗り入れ用のスロープ台２１ａと後部の退出用のスロープ台２１ｂからなるものとする。このスロープ台２１により容易に車椅子１で台盤面１１に乗り上がることができる。また、容易に車椅子１で台盤面１１から降りることができる。ところで、室内床面２３が入口などの土間の床面２２より高い場合には、後部の退出用のスロープ台２１ｂに代えて台盤面１１から室内床面２３にバリヤーフリーで入室できる高さの図示しない接続台を設けることもできる。
【００２０】
台盤４やスロープ台２１の上板や下板は８ｍｍ厚さのアルミニウム板とし滑らないように凹凸を上面に形成し、その枠体の素材は１．５〜２．０ｍｍ厚のステンレス板から形成し、手すり２４やスイッチボックス２６の取付け用支柱２５などはステンレス製とし、駆動ロール８及び従動ロール９のロールの素材は亜鉛メッキした鋼板からなるものとする。これらの製作においては、先ず、ステンレス板で台盤４やスロープ台２１の枠体を組み、これらの枠体に駆動ロール８及び従動ロール９並びにブラシ７を所定の軸やＴバー１４やＴバー受け１５や弾発コイルバネ１３で取付け、駆動ロール８にモーターを配設し、８ｍｍ厚さのアルミニウム板で台盤４やスロープ台２１の上下をねじ止めする。
【００２１】
これらの駆動ロール８及び従動ロール９のロールの除去時の回転速度は、安全のためにロール面１０の速度で６ｍ／分ぐらいとする。従って、車椅子１の車輪２のタイヤ面２ａや前輪３は、６ｍ／分の速度でブラシ７に擦られることとなり、付着した泥や塵埃がブラシ間に落とされ、ブラシ７の下でブラシ７を支えているＴバー１４の上にその大部分が貯まることとなる。貯まった泥や塵埃は適宜に掃除機で吸い取り、さらにＴバー１４から下に落ちた泥や塵埃は、年に数度、Ｔバー１４をＴバー受け１５毎に取り出し、それらの下に敷いていた泥受け皿１６に落下して貯まった泥や塵埃を除去するものとする。
【図面の簡単な説明】
【００２２】
【図１】本発明における台盤で、（ａ）は平面図で、（ｂ）は側面図である。
【図２】図１の（ｂ）の要部拡大図である。
【図３】車輪を載置した台盤の要部拡大図である。
【図４】本発明における台盤の斜視図である。
【図５】車椅子を載せた本発明における台盤の斜視図である。
【図６】前後にスロープ台を敷設し台盤の概略を示す模式的側面図である。
【符号の説明】
【００２３】
１  車椅子
２  車輪
３  前輪
４  台盤
５  後端
６  前端
７  ブラシ
８  駆動ロール
９  従動ロール
１０  ロール面
１１  台盤面
１２  開口部
１３  弾発コイルバネ
１４  Ｔバー
１５  Ｔバー受け
１６  泥受け皿
１７  導入路
１８  退出路
１９  傾斜部
２０  水平部
２１  スロープ台
２２  床面
２３  室内床面
２４  手すり
２５  取付け用支柱
２６  スイッチボックス
２７  操作ボタン
２８  非常用押しボタン
２９  制御ボックス
３０  進行方向
【図１】
2005218711.tif 000003
【図２】
2005218711.tif 000004
【図３】
2005218711.tif 000005
【図４】
2005218711.tif 000006
【図５】
2005218711.tif 000007
【図６】
2005218711.tif 000008